(57)【要約】【課題】隙間からの二次空気の供給を完全に遮断して、良好な燃焼が得られるガンタイプバ−ナを提供する。【解決手段】バーナ外筒１の内側に該バーナ外筒１との間に空気通路５を形成して、燃料噴射用のノズル体８及び一次空気を旋回させる一次スタビライザ１５を備えた整流筒４と、周壁に複数の空気孔を設けたバーナ内筒１８とを備えたもので、前記整流筒４内には一次空気を集束して噴射燃料と共に放出する中央穴１０を有した集束体１１を備え、更に集束体１１前方の一次スタビライザ１５は、中央穴１０より大径の開口１２を有し、中央穴１０部分で重合し開口１２外周に切り起こしで形成した旋回羽根１４を配置し、前記集束体１１と一次スタビライザ１５とが重合する中央穴１０周囲では、一次スタビライザ１５と密着する段押し部１６を形成すると共に、中央穴１０端部には前方へ立ち上がった立設壁１７を設け、隙間からの二次空気の供給を阻止するものである。【選択図】  図１
2004332993.tif 000002
【特許請求の範囲】
【請求項１】
バーナ外筒の内側に該バーナ外筒との間に空気通路を形成して、燃料噴射用のノズル体及び一次空気を旋回させる一次スタビライザを備えた整流筒と、周壁に複数の空気孔を設けたバーナ内筒とを備え、更にバーナ外筒後方には燃焼空気供給用の送風機を備えたものに於いて、前記整流筒内には一次空気を集束して噴射燃料と共に放出する中央穴を有した集束体を備え、更に集束体前方の一次スタビライザは、中央穴より大径の開口を有し、中央穴部分で重合し開口外周に切り起こしで形成した旋回羽根を配置した一次スタビライザを設け、前記集束体と一次スタビライザとが重合する中央穴周囲では、一次スタビライザと密着する段押し部を形成すると共に、中央穴端部には前方へ立ち上がった立設壁を設けた事を特徴とするガイタイプバーナ。
【発明の詳細な説明】
【０００１】
【発明の属する技術分野】
この発明は家庭用の給湯装置等のバーナとして利用されるガンタイプバーナに関するものである。
【０００２】
【従来の技術】
従来よりこの種のものに於いては、バーナ外筒の内側に該バーナ外筒との間に二次空気通路を形成して、燃料噴射用のノズル体及び一次空気を旋回させる一次スタビライザを備えた整流筒と、周壁に複数の空気孔を設けたバーナ内筒とを備え、更に整流筒内には一次スタビライザと中央穴部分で重合する集束体を備え、この重合部分の隙間からの二次空気の噴出方向や流速を調整することで、着火性能の向上を図るものであった。（例えば、特許文献１参照。）
【０００３】
【特許文献１】
特許第３１００３６２号公報
【０００４】
【発明が解決しようとする課題】
ところでこの従来のものでは、部品のバラツキ等でどうしても常に最適な隙間を維持することは出来ず、又そもそも一次空気と燃料の噴出部分に外周からの二次空気の供給があると、一次空気の流れに乱れが生じて良好な燃焼が行えないと言う問題点を有するものであった。
【０００５】
【課題を解決するための手段】
この発明はこの点に着目し上記欠点を解決する為、特にその構成を、バーナ外筒の内側に該バーナ外筒との間に空気通路を形成して、燃料噴射用のノズル体及び一次空気を旋回させる一次スタビライザを備えた整流筒と、周壁に複数の空気孔を設けたバーナ内筒とを備え、更にバーナ外筒後方には燃焼空気供給用の送風機を備えたものに於いて、前記整流筒内には一次空気を集束して噴射燃料と共に放出する中央穴を有した集束体を備え、更に集束体前方の一次スタビライザは、中央穴より大径の開口を有し、中央穴部分で重合し開口外周に切り起こしで形成した旋回羽根を配置した一次スタビライザを設け、前記集束体と一次スタビライザとが重合する中央穴周囲では、一次スタビライザと密着する段押し部を形成すると共に、中央穴端部には前方へ立ち上がった立設壁を設けたものである。
【０００６】
これによれば、一次空気と燃料の噴出部分への外周からの二次空気の供給が確実に阻止され、一次空気の流速が乱れる心配もなく、常に良好な燃焼が得られるものであり、又部品のバラツキで性能が変わることもなく、同一性能の製品を生産出来る効果も有するものである。
【０００７】
【発明の実施の形態】
次にこの発明に係る下向きに取り付けられたガンタイプバーナを図面に示された一実施形態で説明する。
１は有底筒状で先端に向かって二段階に絞られたバーナ外筒で、後端部には横向きに取り付けらた送風機２からの燃焼空気を流入させる風胴３が固着されている。
【０００８】
４は前記バーナ外筒１の内側に該バーナ外筒１との間に空気通路５を形成して備えられた整流筒で、内方には電磁ポンプ６及び油比例弁７と連結した燃料噴射用のノズル体８と、噴射される燃料に着火する為の点火電極９と、ノズル体８前方で流通して来る一次空気を集束させて中央穴１０から放出する擂り鉢状の集束体１１とが備えられており、更にこの集束体１１の前方には、中央穴１０より大径の開口１２を有し、中央穴１０部分で重合し周壁に形成された複数の二次空気孔１３から流入する二次空気を、開口１２周囲に切り起こしで形成した旋回羽根１４で旋回させて供給する一次スタビライザ１５が備えられている。
【０００９】
更に前記集束体１１と一次スタビライザ１５とが接触する中央穴１０周囲では、この２つの隙間からの二次空気が中央穴１０からの一次空気に全周から垂直にぶつかることで、一次空気が乱れて噴射燃料との混合不良が発生して良好な燃焼が得られなくなることを防止する為に、中央穴１０の周囲に一次スタビライザ１５と密着する段押し部１６を形成し、更に確実に二次空気の中央穴１０から放出される一次空気への干渉を阻止するように、中央穴１０端部には前方へ立ち上がった立設壁１７を設けているものである。
【００１０】
１８は前記整流筒４と同じく空気通路５を保持してバーナ外筒１の内側に備えられたバーナ内筒で、一次スタビライザ１５の先端に連結した小径燃焼筒１９と大径燃焼筒２０の二段状に形成され、小径燃焼筒１９及び大径燃焼筒２０の周壁には、上下二段に三次空気孔２１が複数個形成されており、又大径燃焼筒２０の底部で小径燃焼筒１９との連結部分の外周には、一次スタビライザ１５と同一方向に三次空気を旋回させる二次スタビライザ２２が形成されている。
【００１１】
前記風胴３は、一側面を送風機２と、底面をバーナ外筒１とそれぞれ連通し他を閉塞した箱状に形成され、送風機２から供給される燃焼空気を一旦貯めるものであり、又風胴３のバーナ外筒１と連通するノズル体８側には、燃焼空気と直交するように複数の一次整流孔２３を円を描くように配置した第一整流板２４が設けられると共に、この第一整流板２４の下流側には一次整流孔２３で描いた円とオーバーラップする径であって、一端開口では整流筒４端部を嵌合したコップ状の整流筒ガイド２５が設けられており、更に整流筒ガイド２５の燃焼空気の流れと平行になる周壁には複数の第二整流孔２６を形成して、強制的に押し込むのではなく、自然のながれとして燃焼空気が流入して一次空気となるものである。
【００１２】
２７は整流筒４底部で燃料噴射用のノズル体８を固定すると共に、該整流筒４内に一次空気を流入させる為の第三整流板で、固定されたノズル体８周囲に複数個の第三整流孔２８を設けており、整流筒ガイド２５に流入して来た一次空気を第三整流孔２８を通すことで、更に整流して整流筒４に供給するものである。
【００１３】
２９はバーナ外筒１先端とバーナ内筒１７先端とで形成された隙間から成る三次空気噴出口で、バーナ外で形成される火炎に三次空気を供給すると共に、火炎の広がりを抑制するものである。
３０は点火電極９と接続したイグナイタである。
【００１４】
次にこの発明の一実施形態の作動について説明する。
今送風機２及び電磁ポンプ６を駆動すれば、燃焼空気は先ず風胴３内に供給されここで一旦貯めて、回転力による方向性をなくした後、下方に向かう流れとし、この流れと直交するように配置された第一整流板２４の第一整流孔２３を通過させることで、全体的に流れ方向を一致させる整流を行い、そして空気通路５に流し流れ方向と平行な整流筒ガイド２５の第二整流孔２６から自然に整流されながら該整流筒ガイド２５内に流入させ、更に第三整流板２７の第三整流孔２８を通り最後の整流が行われ、完全な下方への一次空気の流となって整流筒４内へ供給されるものである。
【００１５】
そして整流筒４内に流入した一次空気は、擂り鉢状の集束体１１で集められて中央穴１０からノズル体８の噴射燃料と共に、バーナ内筒１８内に放出され、この時点火電極９の放電で着火されるものであり、又これと同時に一次スタビライザ１５からは、一次空気と燃料の混合気の外周に二次空気の旋回流を形成して二次空気の混合を良好にするものであり、更にバーナ内筒１８内では、上下の三次空気孔２１から新鮮な三次空気が供給されると共に、二次スタビライザ２２からは旋回した三次空気が供給されて、外方に大きな火炎が形成されて良好な燃焼が行われるものである。
【００１６】
又この時、集束体１１の中央穴１０部分では、段押し部１６と立設壁１７とで隙間が完全に塞がれるので、外周から流速の早い二次空気が供給されることがなく、一次空気の流速が乱れる心配もいらず、常に良好な燃焼を得ることが出来るものである。
【００１７】
更に一次空気、二次空気、三次空気として燃焼部に供給される燃焼空気を、入り口である風胴３及び整流筒ガイド２５で確実に整流し、流れ方向や量の片寄りのない燃焼空気として供給され、特に一次空気は第二、第三と３回に渡って整流が行われ、異常燃焼の原因になることなく、常に良好な燃焼が行われるものである。
【００１８】
又第一整流孔２３が燃焼空気の流れと直交し、全燃焼空気を強制的に整流することが出来、基本的な流れ方向の整流が確実に行われるものであり、又第二整流孔２６が燃焼空気の流れと平行し、一次空気を自然に流入させられるので、癖のないスムーズな燃焼が常に行えるものである。
【００１９】
【発明の効果】
以上のようにこの発明によれば、一次空気と燃料の噴出部分への外周からの二次空気の供給が確実に阻止され、一次空気の流速が乱れる心配もなく、常に良好な燃焼が得られるものであり、又部品のバラツキで性能が変わることもなく、同一性能の製品を生産出来る効果も有するものである。
【図面の簡単な説明】
【図１】この発明の一実施形態を付したガンタイプバーナの断面図。
【図２】同要部拡大断面図。
【符号の説明】
１  バーナ外筒
２  送風機
３  風胴
４  整流筒
５  空気通路
８  ノズル体
１０  中央穴
１１  集束体
１２  開口
１３  二次空気孔
１４  旋回羽根
１５  一次スタビライザ
１６  段押し部
１７  立設壁
１８  バーナ内筒
【図１】
2004332993.tif 000003
【図２】
2004332993.tif 000004